(57)【要約】リアルタイムのデータストリーム中に含まれるデータを複数の記録媒体に連続して記録するための方法は、記録されるべき番組中の中断が検出されたときに、記録媒体の交換を開始することにより、前記データストリームからのデータを一時的に保存するために必要とされるバッファを削減する。記録媒体の交換の間のデータの少なくとも一部はユーザにとってより関心のないものであり、従って当該データの損失は、記録されるべき番組に属するデータの損失よりは好ましい。選択的なデータの損失を可能とすることにより、バッファサイズが削減される。
2006501594.tif 000002
【特許請求の範囲】
【請求項１】
リアルタイムのデータストリームに含まれるデータを複数の記録媒体に連続して記録するための方法であって、
第１の記録媒体に前記データストリームの第１のセグメントを記録するステップと、
前記第１の記録媒体を第２の記録媒体と交換する間に前記データストリームをバッファにバッファリングするステップと、
前記データストリームの第２のセグメントを前記第２の媒体に記録するステップと、
を有する方法において、前記データストリーム中のデータが記録されることを意図されていない、前記第１のセグメントと前記第２のセグメントとの間の時間の間に、前記第１の記録媒体が前記第２の記録媒体によって交換されることを特徴とする方法。
【請求項２】
前記時間は、前記番組が記録されることが意図された前記データストリーム中の前記番組の中断に含まれることを特徴とする、請求項１に記載のリアルタイムのデータストリーム中に含まれるデータを記録する方法。
【請求項３】
前記時間は広告に含まれることを特徴とする、請求項１又は２に記載のリアルタイムのデータストリーム中に含まれるデータを記録する方法。
【請求項４】
前記時間は場面変化に含まれることを特徴とする、請求項１又は２に記載のリアルタイムのデータストリーム中に含まれるデータを記録する方法。
【請求項５】
前記番組はスポーツ番組であることを特徴とする、請求項２に記載のリアルタイムのデータストリーム中に含まれるデータを記録する方法。
【請求項６】
前記中断は負傷によるものであることを特徴とする、請求項５に記載のリアルタイムのデータストリーム中に含まれるデータを記録する方法。
【請求項７】
前記中断はタイムアウトによるものであることを特徴とする、請求項５に記載のリアルタイムのデータストリーム中に含まれるデータを記録する方法。
【請求項８】
前記時間はクレジットのリストに含まれることを特徴とする、請求項１に記載のリアルタイムのデータストリーム中に含まれるデータを記録する方法。
【請求項９】
前記時間は、前記データストリーム中のデータが低いビットレートを持つ前記データストリームのセクションに含まれることを特徴とする、請求項１に記載のリアルタイムのデータストリーム中に含まれるデータを記録する方法。
【請求項１０】
前記番組は音楽番組であり、前記時間は第１の曲と第２の曲との間の時間であることを特徴とする、請求項２に記載のリアルタイムのデータストリーム中に含まれるデータを記録する方法。
【請求項１１】
前記中断は、電子番組ガイドから決定されることを特徴とする、請求項２に記載のリアルタイムのデータストリーム中に含まれるデータを記録する方法。
【請求項１２】
前記中断の開始が、前記番組と共に送信される情報ブロックから決定されることを特徴とする、請求項２に記載のリアルタイムのデータストリーム中に含まれるデータを記録する方法。
【請求項１３】
請求項１乃至１２のいずれか一項に記載の方法を利用して、データストリーム中の番組を１より多い記録媒体を利用して記録するレコーダ。
【発明の詳細な説明】
【技術分野】
【０００１】
本発明は、リアルタイムのデータストリームに含まれるデータを複数の記録媒体に連続して記録するための方法であって、
第１の記録媒体に前記データストリームの第１のセグメントを記録するステップと、
前記第１の記録媒体を第２の記録媒体と交換する間に前記データストリームをバッファにバッファリングするステップと、
前記データストリームの第２のセグメントを前記第２の媒体に記録するステップと、
を有する方法に関する。
【０００２】
本発明は更に、かような方法を利用するレコーダに関する。
【背景技術】
【０００３】
現在、リアルタイムのデータストリームを記録するためのレコーダは、限られた記録容量を持つ。記録媒体が一杯になる度に、該記録媒体は交換される必要がある。該交換は、ユーザによって手動で実行されるか、又は例えばチェンジャ機構によって自動的に実行されるかのいずれかである。当該交換は常に幾分かの時間を必要とし、その間は記録媒体への記録が不可能である。
【発明の開示】
【発明が解決しようとする課題】
【０００４】
従って、当該交換の間は、データストリーム中のデータは失われる。データを失うことは、例えば長い映画を録画しようと意図しているレコーダのユーザにとって、深刻な不利益をもたらす。この問題の解決方法は、記録が再び可能となるまでデータを保存するバッファの利用である。前記バッファのサイズは、前記記録媒体の交換の間前記レコーダによって受信される全てのデータを保存するのに十分な大きさでなければならない。かようなバッファは、レコーダの価格が上がるという不利な点を持つ。
【０００５】
本発明の目的は、必要とされるバッファの量を削減し、かくしてレコーダのコストを削減することにある。
【課題を解決するための手段】
【０００６】
本目的は、本発明が、前記データストリーム中のデータが記録されることを意図されていない、前記第１のセグメントと前記第２のセグメントとの間の時間の間に、前記第１の記録媒体が前記第２の記録媒体によって交換されることを特徴とすることにおいて達成される。
【０００７】
記録媒体を交換するときに、前記レコーダが記録されることを意図されていないデータを受信した場合、前記バッファは減少させられることができる。なぜなら、前記レコーダは当該データを記録する必要がなく、新たな記録媒体が記録のために再び利用可能となる前の短い時間の間のデータを記録するために少量のバッファのみが必要とされるからである。当該少量のバッファは、記録媒体の交換が未だ完了していない間に記録することを意図されたデータが到着した場合に、当該データが失われないことを保証する。記録媒体の交換の開始からの全てのデータがバッファリングされる必要があるわけではないため、前記バッファのサイズは減少させられることができる。より少量のバッファはより少ないメモリのみを必要とし、従ってより安価である。
【０００８】
本方法の実施例は、前記時間は、前記番組が記録されることが意図された前記データストリーム中の前記番組の中断に含まれることを特徴とする。
【０００９】
番組の中断の間、前記データストリーム中のデータは記録されることを意図されておらず、従って当該データをバッファリングすることは重要ではない。前記バッファのサイズはそれ故、番組の中断におけるデータもバッファリングされ記録される必要がある場合に比べて減少させられることができる。
【００１０】
本方法の更なる実施例は、前記時間は広告に含まれることを特徴とする。
【００１１】
広告は記録されることを意図された番組の部分ではなく、記録媒体の交換が広告の間に実行される場合には、当該広告もバッファリングされ記録される必要がある場合に比べて前記バッファのサイズは減少させられることができる。
【００１２】
本方法の更なる実施例は、前記時間は場面変化に含まれることを特徴とする。
【００１３】
番組の間には、頻繁な場面変化がある。場面変化においては重要なデータはないため、記録媒体の交換は場面変化の間に実行されることができ、場面変化のデータもバッファリングされ記録される必要がある場合に比べて前記バッファのサイズは減少させられることができる。
【００１４】
本方法の更なる実施例は、前記番組はスポーツ番組であることを特徴とする。
【００１５】
スポーツ番組はしばしば幾つかの理由により中断される。このことは、当該中断の間の記録媒体の交換を可能とする。なぜなら、中断の間のデータの損失は、スポーツ試合の間のデータの損失よりも、ユーザを悩ませないからである。多くのスポーツ番組は、実際の試合に対して中断を有する。これらの中断は、２つのセッション間の休止又は予定外の休止のような、試合の不可欠の部分であり得るが、いずれの場合にもかような瞬間には実際の試合自体は停止している。
【００１６】
本方法の更なる実施例は、前記中断は負傷によるものであることを特徴とする。
【００１７】
スポーツの試合の参加者の負傷はスポーツの試合における予定外の休止であり、従って記録媒体を交換するために利用されることができる。
【００１８】
本方法の更なる実施例は、前記中断はタイムアウトによるものであることを特徴とする。タイムアウトは、スポーツの試合に対しては実際の試合自体よりも重要ではない。タイムアウトの間は、データ損失はスポーツの試合の間のデータ損失に比べると悩ませるようなものではない。より少量のバッファがそれ故利用されることができる。
【００１９】
本方法の更なる実施例は、前記時間はクレジットのリストに含まれることを特徴とする。クレジットのリストはしばしばユーザにとって重要なものではなく、映画の部分が失われる場合に比べて、クレジットの部分が失われても悩ませるようなものではない。それ故、クレジットの間に記録媒体を交換することは、データの損失が許容され得るため有利であり、データの損失が許されない場合に比べてより少量のバッファに帰着する。
【００２０】
本方法の更なる実施例は、前記時間は、前記データストリーム中のデータが低いビットレートを持つ前記データストリームのセクションに含まれることを特徴とする。
【００２１】
前記データストリームのビットレートが低い前記データストリームのセクションを選択する場合、データの損失なくデータストリーム全体を記録しつつ、バッファのサイズが減少させられることができる。より低いビットレートにおいては、所定の継続時間のセクションを記録するため、より高いビットレートを持つ同じ継続時間のセクションに比べてより少量のバッファが利用される。
【００２２】
本方法の更なる実施例は、前記番組は音楽番組であり、前記時間は第１の曲と第２の曲との間の時間であることを特徴とする。
【００２３】
音楽番組は本発明による方法を適用するために特に適している。なぜなら音楽はしばしば休止を有するからである。休止は殆ど常に、曲の開始の直前、及び曲の直後に見出される。記録媒体の交換が未だ完了していない間に、本方法はより少量のバッファを利用して記録を開始することができる。
【００２４】
本方法の更なる実施例は、前記中断は、電子番組ガイドから決定されることを特徴とする。
【００２５】
電子番組ガイドは、番組がいつ開始するか、いつ終了するか、及びいつ中断が予定されているかを示す。一例は、ニュース放送によって２つのセクションに分割された長い映画である。ニュース放送の間に記録媒体を交換することは重要ではない。なぜなら、ニュース放送は記録されることは意図されていないからである。
【００２６】
電子番組ガイドに列記された殆どの中断は、記録媒体を交換するために必要とされる時間よりも長く、このような場合にはバッファは必要とされない。
【００２７】
本方法の更なる実施例は、前記中断の開始が、前記番組と共に送信される情報ブロックから決定されることを特徴とする。
【００２８】
コンテンツプロバイダは、前記データストリームに、中断が開始する示唆を含めることができる。このことは、現在ドイツ国のＶＰＳシステムが、ＶＣＲによって録画を開始及び停止するため番組の開始及び終了を示していることと同じ方法で実施化されることができる。代替としては、中断が開始するというこの情報は、テレテキストによって前記レコーダに送信されても良い。両方のシステムとも、当該情報の疑似リアルタイム転送を可能とし、記録媒体の交換の開始の十分に正確な制御を可能とする。
【００２９】
このようにして、前記レコーダは、前記データストリームの画像又はオーディオのコンテンツを決定する必要はなく、記録媒体の交換のための適切な瞬間を決定するために前記レコーダ中の既存のハードウェアを利用することができる。
【００３０】
更なる実施例は、請求項１乃至１０に記載の方法の１つを利用する、１以上の記録媒体を利用してデータストリーム中の番組を記録するためのレコーダに関する。
【発明を実施するための最良の形態】
【００３１】
本発明は、図に基づいて以下説明される。
【００３２】
図１は、記録されることが意図された番組を有するデータストリーム、並びに記録媒体の交換の例及び必要とされるバッファリングを示す。
【００３３】
図１は、記録媒体の交換９が番組の中断１０と整合せず、第３の番組セクション７の中間にある状況を示す。当該状況においては、前記番組のコンテンツと記録媒体の交換９との間には関連はない。なぜなら、記録媒体の交換９は単に、一杯になった記録媒体と必要とされる新たな記録媒体とに基づくからである。第３の番組セクション７のデータを失わないためには、バッファリング８が必要とされる。
【００３４】
これに対し、本発明の方法は、前記記録媒体が一杯になったときに前記記録媒体を交換するのではなく、記録されることを意図された番組のコンテンツに依存して前記記録媒体を交換する。このことは、記録媒体が完全に一杯になっていないときの記録媒体の交換に帰着する。
【００３５】
このこともまた図１に示されている。
【００３６】
データストリーム１は、２つの時間４及び１０によって分離された３つの番組セクション２、３及び７から成る、記録されることを意図された番組を有する。２つの時間４及び１０は、前記番組に対する中断を形成し、前記番組を実質上３つの番組セクション２、３及び７に分割する。前記番組が単一の記録媒体に収録するには大きすぎ、番組セクション２、３及び７のデータを失うことなく記録されるべきである場合、前記記録媒体は、第１の番組セクション２の開始と、最後の番組セクション７との間のどこかで交換される必要がある。第１の交換６は前記中断の開始と一致し、本例においては、中断４の持続時間よりも短い時間を要するため、第２の番組セクション３の開始の前に終了する。バッファリングが利用されないとしても、第１の番組セクション２及び第２の番組セクション３は、データの損失なく記録されるであろう。かくして、記録媒体の交換が番組の中断と正確に整合する場合には、本発明の目的は達成される。
【００３７】
第１の中断４における幾つかのデータが記録される必要がある場合には、新たな記録媒体が記録のために利用可能となるまで、前記データをバッファリングするバッファリング５が必要とされる。
【００３８】
この場合には、前記バッファのサイズは、中断４の幾つかのデータをバッファリングするだけでは十分ではなく、前記第２のセクションの最初の部分をバッファリングするために十分に大きくなくてはならないことに留意されたい。なぜなら、新たな記録媒体が記録のために利用可能となったとき、第２の番組セクション３の最初の部分のデータが記録される前に、前記バッファ中のデータを前記記録媒体へ転送するために幾分かの時間を要するからである。
【００３９】
図２は、記録媒体の交換の例２０及び２１が番組の中断４及び１０と一致した場合の、記録されることを意図された番組を有するデータストリーム１、及び必要とされるバッファリングへの影響を示す。
【００４０】
図２においては、図１における場合と同様に、データストリーム１は、２つの時間４及び１０によって分離された３つの番組セクション２、３及び７を有する、記録されることを意図された番組を有する。２つの時間４及び１０は、前記番組に対する中断を形成し、前記番組を実質上３つの番組セクション２、３及び７に分割する。
【００４１】
バッファサイズの削減は、以下のように達成される。
【００４２】
記録媒体の交換２０が番組セクション２の終了即ち中断４の開始と整合され、かつ記録媒体の交換２０の持続時間が中断４の持続時間より短い場合には、バッファは全く必要ない。なぜなら、次の番組セクション３の開始の前に新たな記録媒体への記録が再開し、従って本発明の目的を達成するからである。
【００４３】
記録媒体の交換２１が中断１０の開始と整合されるが、交換２１が中断１０よりも長い持続時間を持つものである場合、記録媒体が番組セクション７のデータを受付ける準備ができるまで、中断１０に続く番組セクション７のデータをバッファリングするためにバッファが必要とされる。前記バッファは中断１０全体をバッファリングするのに十分なほど大きい必要はないため、該バッファのサイズは削減されることができ、従って本発明の目的を達成する。
【００４４】
番組の中断の検出は多くの種々の方法で実施化されることができることは留意されるべきである。中断４及び１０又はユーザにとって関心のないセクションの検出のための、場面変化、番組の開始又は終了におけるタイトル、広告、音楽の間即ち曲の間の無音、動きの不在及び多くの他の示唆を見出すための番組データ即ちオーディオ又はビデオの処理は、例えば記録から広告を除去するために先行技術において考慮されてきた。これらの示唆は、本発明により記録媒体を交換するための最適なタイミングを決定するためにも、同様にうまく利用されることができる。更なる可能性は、記録することを意図された番組のコンテンツプロバイダによる、中断が開始することを示す信号の送信を含む。このことは、番組の開始が遅れたときであっても該番組の記録を正確に時間通りに開始するために、該番組の開始が示唆されレコーダによって利用される、ＶＰＳシステムにおけるものと同様である。
【００４５】
更なるオプションは、番組に対する中断を決定し、それに従って記録媒体の交換をスケジューリングするための、電子番組ガイドから得られる情報を利用することである。
【００４６】
前記バッファは、最新の情報のみが保護される、即ちより古いデータがより新しいデータによって上書きされる、循環バッファであっても良い。このようにして、前記バッファのサイズは、最適に利用される。なぜなら、番組セクション３及び７の開始の前から前記バッファに既に存在するデータは、取得され記録媒体に記録されることができるため、前記番組セクションの開始時においてバッファサイズの全体が利用可能であるからである。データの取得の後、前記バッファのエリアは新たなデータをバッファリングするために再び利用可能である。このことは、前記中断における幾つかのデータが記録されることができる一方で、前記バッファの全体が番組セクションの最初の部分におけるデータを保存するために利用可能であることを意味する。
【００４７】
図３は、本発明による方法を実施化するフロー図を示す。
【００４８】
中断を検出するため、本方法の第１のステップ３０は、特定のタイプの中断について、データストリーム中のデータを監視するステップを有する。第２のステップ３１において、適切な中断が見出されたか否かの決定が為される。適切な中断が見出されていない場合、本方法は第１のステップ３０に戻り、前記データストリーム中のデータの監視を継続する。適切な中断が見出された場合には、本方法は第３のステップ３２に進み、ここで記録媒体の交換が開始される。この後、本方法はバッファリングが開始される第４のステップに進む。バッファのサイズ、及びデータのいずれの損失をも防ぐ又は中断のデータの損失を許容するといったバッファリングの目的に依存して、第３のステップ３２と第４のステップ３３とは交換されても良い。第４のステップ３３の後、本方法は第５のステップ３４に進み、記録媒体の交換の完了が決定される。記録媒体の交換が未だ完了していない場合、本方法は前記完了が検出されるまで第５のステップ３４に戻る。記録媒体の交換の完了が検出された場合、本方法は第６のステップ３５に進み、前記バッファの内容が、記録媒体の前記交換の後に利用可能となった新たな記録媒体へ転送される。前記バッファが前記新たな記録媒体に転送されている間、前記データストリームからの現在のデータが前記バッファに保存される必要がある。なぜなら記録媒体は前記現在のデータを記録するためには未だ利用可能ではないからである。
【００４９】
バッファリングされたデータが前記記録媒体に保存されると、本方法は第７のステップに進み、データ損失を防ぐために前記バッファを利用する必要なく、現在のデータストリームが直接に前記記録媒体に記録されることができる。
【００５０】
バッファはしばしば、記録媒体の交換の間のバッファリングとは別の目的のために既にレコーダに存在する。しかし、通常の動作においてバッファリングされる必要があるデータの量は、数秒間続く記録媒体の交換の間に到着するデータの量よりもかなり小さいため、かようなバッファはかなり小さい。
【００５１】
図４は、本発明による方法を実施化するレコーダを示す。
【００５２】
レコーダ４０は、データ処理ユニット４１、メモリ４２、基本エンジン４３を有する。前記レコーダは更に、データストリームが外部データ源から受信されるレコーダ入力部４５を有する。前記レコーダ入力部は、データ処理ユニット４１の入力部４６に接続される。データ処理ユニット４１は、記録のためのデータストリームのフォーマット及び記録戦略の決定といった複数の機能を実行し、更に図３の説明において概説された方法を実行する。本方法を実行することを可能とするため、データ処理ユニット４１は、中断の検出を実行し、記録媒体４４の交換を開始するコマンドを基本エンジン４３に発行し、双方向バス４７を介してバッファ４２に向けてデータを送り、バッファ４２からバッファリングされたデータを取得し、又はバッファリングが必要ない場合には前記基本エンジンに前記データを直接送る。前記基本エンジンと通信するために、基本エンジン４３とデータ処理ユニット４１との間に双方向データバスが備えられる。データ及びコマンドの両方が、かようなバスを介して送信されることができる。
【００５３】
記録媒体の交換は種々の方法で実行されることができる。
【００５４】
例えば、複数のＣＤがカルーセルに挿入され、前記カルーセルが回転して正しいＣＤを読み取り位置に運ぶ、ＣＤプレイヤからよく知られた所謂カルーセルローダのような、レコーダ４０に一体化されたディスクチェンジャが利用されても良い。レコーダにおいても、同様のカルーセル機構により、記録媒体が記録位置に運ばれても良い。
【００５５】
代替として、前記レコーダは単一の装填トレイを備えても良い。該装填トレイは、本発明の方法により記録媒体を交換することが決定されたときに自動的に開かれても良い。ユーザは、ことによると聴覚的／視覚的なアラームによって支援されながら前記装填が開くことにより警告され、新たな記録媒体を手動で挿入するように催促される。前記警告及び催促は、レコーダに含められたブザー又はライトのような手段によって生成されても良いが、レコーダ４０に接続されたテレビジョンセットを通してアラームが生成されるように前記レコーダによって生成されても良い。
【００５６】
テレビジョンセットのスピーカを通してアラーム音が再生され、前記テレビジョンセットによって前記催促が表示される。
【００５７】
前記データ処理ユニットは、前記データストリームのビデオ又はオーディオコンテンツから、記録媒体の交換のための適切な時機を決定しても良い。又は前記データ処理ユニットは単に、例えばＶＰＳシステムと同様の制御信号の形式の、又はテレテキストによる、前記データストリーム中の番組と共にコンテンツプロバイダによって送信された制御信号を抽出しても良い。
【図面の簡単な説明】
【００５８】
【図１】記録されることが意図された番組を有するデータストリーム、並びに記録媒体の交換の例及び必要とされるバッファリングを示す。
【図２】記録媒体の交換の例がプログラムの中断と一致した場合の、記録されることが意図された番組を有するデータストリーム、及び必要とされるバッファリングへの影響を示す。
【図３】本発明による方法を実施化するフロー図を示す。
【図４】本発明による方法を実施化するレコーダを示す。
【図１】
2006501594.tif 000003
【図２】
2006501594.tif 000004
【図３】
2006501594.tif 000005
【図４】
2006501594.tif 000006
【国際調査報告】
2006501594.tif 000007
2006501594.tif 000008
2006501594.tif 000009